【手続補正書】
【提出日】平成24年9月28日(2012.9.28)
【手続補正１】
【補正対象書類名】特許請求の範囲
【補正対象項目名】請求項１
【補正方法】変更
【補正の内容】
【請求項１】
屋根用パネルに組み合わせられる固定部材であって、
該固定部材は断面略Ｉ字状をしており、
前記屋根用パネルの桁行き方向の幅以上の長さに形成されており、
上フランジと立面と下フランジとから成っていて、
上フランジよりも下フランジの方が幅広く形成されており、
前記上フランジには上面部が形成されており、その裏面側には、立面を挟んで形成された上フランジ軒側裏面部と上フランジ棟側裏面部とを有しており、
前記下フランジには底面部が形成されており、その表面側には、立面を挟んで形成された下フランジ軒側表面部と下フランジ棟側表面部、及び、前記下フランジ軒側表面部から先端に向かって下向きに傾斜している軒側斜面部とを有しており、
上フランジ軒側裏面部と立面と下フランジ軒側表面部とで囲まれた箇所は屋根用パネルを保持することができる高さの第一凹部となっており、
上フランジ棟側裏面部と立面と下フランジ棟側表面部とで囲まれた箇所は屋根用パネルを保持することができる高さの第二凹部となっており、
前記上フランジ軒側裏面部は下フランジ軒側表面部よりも幅広く形成されていることを特徴とする固定部材。
【手続補正２】
【補正対象書類名】明細書
【補正対象項目名】０００３
【補正方法】変更
【補正の内容】
【０００３】
図８には、両側に開口部を有する枠体２０によって支持固定された太陽電池モジュールＡ１が開示されている。そして、「両側に接合のための係合部が形成され中間部の凸部にＴ型の枠体２０を有し、該枠体の両側に太陽電池モジュールパネルの側部を保持するための枠部が形成された長尺帯状の金属板から成る枠付き外囲板Ｒと、両側に接合のための係合部が形成され中間部に凸部が形成された長尺帯状の金属板から成る中間外囲板Ｓとをそれぞれ複数設け、前記枠付き外囲板Ｒと中間外囲板Ｓとを交互に下地材Ｑ上に配置し、隣接する枠付き外囲板Ｒと中間外囲板Ｓとを接合し、前記中間外囲板Ｓをはさんで対向する枠付き外囲板Ｒの前記枠部に太陽電池モジュールパネルの両側部を差し込み自在としたことを特徴とする太陽電池モジュールパネル用外囲体。」と、記載されている。
【手続補正３】
【補正対象書類名】明細書
【補正対象項目名】０００９
【補正方法】変更
【補正の内容】
【０００９】
本願の屋根用パネルの固定部材は、全体形状が断面略Ｉ字状をしている。そして、上フランジと、上フランジよりも幅の広い下フランジと、上フランジと下フランジとを接合する立面とから成っている。固定部材の長さは、屋根用パネルの桁行き方向の幅と同じか、もしくは屋根用パネルの桁行き方向の幅以上に形成されている。
前記上フランジには上面部が形成されており、その裏面側には、立面を挟んで形成された上フランジ軒側裏面部と上フランジ棟側裏面部とを有している。
前記下フランジには底面部が形成されており、その表面側には、立面を挟んで形成された下フランジ軒側表面部と下フランジ棟側表面部、及び、前記下フランジ軒側表面部から先端に向かって下向きに傾斜している軒側斜面部とを有している。
上フランジ軒側裏面部と立面と下フランジ軒側表面部とで囲まれた箇所は、下段側の屋根用パネルの棟側を保持することができる高さの第一凹部となっている。上フランジ棟側裏面部と立面と下フランジ棟側表面部とで囲まれた箇所は、上段側の屋根用パネルの軒側を保持することができる高さの第二凹部となっている。
前記上フランジ軒側裏面部は下フランジ軒側表面部よりも幅広く形成されていることを特徴とする屋根用パネルの固定部材である。
【手続補正４】
【補正対象書類名】明細書
【補正対象項目名】００１３
【補正方法】変更
【補正の内容】
【００１３】
まず、固定部材Ｂについて、図１により説明する。この固定部材Ｂは、全体形状が断面略Ｉ字状をしている。そして、上フランジ１１と、上フランジ１１よりも幅の広い下フランジ１２と、上フランジ１１と下フランジ１２とを接合する立面１３とから成っている。
長さは、屋根用パネルＡの桁行き方向の長さよりも長く形成されている。本実施例の場合には、太陽電池モジュールＡ１の周辺部のフレームＡ２に弾性止水材Ｆが貼られた屋根用パネルＡが、桁行き方向に隣り合う屋根用パネルＡ・Ａ同士を押しつけて取り付けたときに、桁行き方向に隣り合う固定部材Ｂ・Ｂの端縁が接触する長さとなっている。
前記上フランジ１１には上面部１１ｃが形成されており、その裏面側には、立面１３を挟んで形成された上フランジ軒側裏面部１１ａと上フランジ棟側裏面部１１ｂとを有している。
前記下フランジ１２には底面部１２ｆが形成されており、その表面側には、立面１３を挟んで形成された下フランジ軒側表面部１２ａと下フランジ棟側表面部１２ｃ、及び、前記下フランジ軒側表面部１２ａから先端に向かって下向きに傾斜している軒側斜面部１２ｂとを有している。
前記上フランジ軒側裏面部１１ａは、下フランジ軒側表面部１２ａよりも幅広く形成されている。
本実施例の場合には、上フランジ棟側裏面部１１ｂと下フランジ棟側表面部１２ｃの水平部分とが同じ幅であるが、上フランジ棟側裏面部１１ｂの方が幅広くてもよい。
また、下フランジ棟側表面部１２ｃから先端に向かって下向きに傾斜している棟側斜面部１２ｄを有している。本実施例の場合には、下フランジ棟側表面部１２ｃと棟側斜面部１２ｄとの間にくぼみ部１２ｅが形成されていて、その中心部分に小さなＶ字状の溝が形成されている。このくぼみ部１２ｅは、止着具Ｅの頭が突出しないためのものであり、Ｖ字状の溝は止着具Ｅを打ち込みやすくするためのものである。
【手続補正５】
【補正対象書類名】明細書
【補正対象項目名】００１８
【補正方法】変更
【補正の内容】
【００１８】
上述の下地構造の上に、屋根用パネルＡと固定部材Ｂとを組み合わせた取り付け構造について説明する。流れ方向の取り付け構造について、図２・図３・図５より説明する。
流れ方向は、このような屋根用パネルＡを軒側から順に取り付けていく。取り付けようとする屋根用パネルＡの軒側は、すでに固定されている固定部材Ｂの第二凹部１５に差し込まれている。従って、その屋根用パネルＡの棟側のフレームＡ２を持ち上げて、そこに、固定部材Ｂの第一凹部１４を差し込む。下段側の屋根用パネルＡのフレームＡ２に第一凹部１４がはまり、下フランジ軒側表面部１２ａの上に載せたら、固定部材Ｂを下げる。そして、くぼみ部１２ｅから止着具Ｅを打ち込んで金属タルキＤに固定する。
【手続補正６】
【補正対象書類名】明細書
【補正対象項目名】００１９
【補正方法】変更
【補正の内容】
【００１９】
このとき、本願の固定部材Ｂは、下フランジ１２の方が上フランジ１１よりも幅広い。そして、軒側斜面部１２ｂが形成されていて、下フランジ軒側表面部１２ａよりも上フランジ１１の上フランジ軒側裏面部１１ａの方が幅広い。
このため、下段側の屋根用パネルＡのフレームＡ２を第一凹部１４に組み合わせるときに、軒側斜面部１２ｂをフレームＡ２の底面に添わせてはめればよい。
軒側斜面部１２ｂが案内面となるので、図９のように係合し合う箇所すべてを確認しながらはめるのとは異なり、軒側斜面部１２ｂに自然に案内されて、容易に取り付けることができる。
軒側斜面部１２ｂに案内されて、先に、下段側の屋根用パネルＡの棟側のフレームＡ２の上面が上フランジ軒側裏面部１１ａによって位置決めされ、次いで下フランジ軒側表面部１２ａの上に載せられる。この作業が、一連の動きとなってスムーズに行える。
【手続補正７】
【補正対象書類名】明細書
【補正対象項目名】００２２
【補正方法】変更
【補正の内容】
【００２２】
また、長さは屋根用パネルＡの桁行き方向の長さよりも長くなっている。そして、本実施例の場合には、太陽電池モジュールＡ１の周辺部のフレームＡ２に弾性止水材Ｆが貼られた屋根用パネルＡが、桁行き方向に隣り合う屋根用パネルＡ・Ａ同士を押しつけて取り付けたときに、桁行き方向に隣り合う固定部材Ｂ・Ｂの端縁が接触する長さとなっている。
このため、隣り合う固定部材Ｂ・Ｂの隙間から、雨水が浸入しにくい。
フレームＡ２に弾性止水材Ｆが無く、フレームＡ２の桁行き方向の長さと固定部材Ｂの長さとが同じで、桁行き方向に隣り合うフレームＡ２・Ａ２の下方に樋がある場合が考えられる。そのような場合でも、桁行き方向に隣り合う固定部材Ｂ・Ｂの端縁が接触する長さにし、コーキング処理したならば、隙間から雨水が浸入しにくい。
【手続補正８】
【補正対象書類名】明細書
【補正対象項目名】００２５
【補正方法】変更
【補正の内容】
【００２５】
再度、図９と、屋根用パネルＡと固定部材Ｂの組み合わせについて比較する。
図９の場合には、屋根用パネルＡのフレームＡ２と固定部材Ｂとが、係合し合う形状でなければならなかった。つまり、特殊な形状の屋根用パネルＡと固定部材Ｂの組み合わせである。
しかし、本願の場合には、側方に開口する第一凹部１４と第二凹部１５とに組み合わせることができるフレームＡ２を有する屋根用パネルＡであればよい。
図２に示したフレームＡ２のように、側方が開口していない平面を有していて、上面と底面が平行であれば、側方が略コ字状に開口している固定部材Ｂに組み合わせやすい。また、フレームＡ２の棟側が軒側斜面部１２ｂに案内されて、上フランジ軒側裏面部１１ａと下フランジ軒側表面部１２ａとに安定して載置することができる。
しかし、図９に示された屋根用パネルＡのような形状であっても、図１の構成の固定部材Ｂに組み合わせることができる。また、屋根用パネルＡが太陽電池モジュールＡ１のみから成るものでもよい。
このように、固定部材Ｂの構成は、そこに組み合わせられる屋根用パネルＡの形状を、図９のように限定するものではない。